(57)【要約】【課題】切除されたスピューを効果的に回収することにより、スピューの飛散を充分に抑制することができるスピュー回収装置を提供する。【解決手段】ホルダーに取り付けられたカッター刃によりタイヤトレッド面から切除されたスピューを回収するスピュー回収装置であって、ホルダーが、スピュー滞留スペースが形成されたスピュー回収部を備えており、スピュー回収部に、カッター刃の刃先近傍に形成されて、切除されたスピューをスピュー滞留スペース内に吸い込む吸込口と、吸引装置に連結された回収ノズルを取り付ける回収ノズル取付口とが設けられているスピュー回収装置。【選択図】図２
2014144616.tif 000002
【特許請求の範囲】
【請求項１】
ホルダーに取り付けられたカッター刃によりタイヤトレッド面から切除されたスピューを回収するスピュー回収装置であって、
前記ホルダーが、スピュー滞留スペースが形成されたスピュー回収部を備えており、
前記スピュー回収部に、
前記カッター刃の刃先近傍に形成されて、切除された前記スピューを前記スピュー滞留スペース内に吸い込む吸込口と、
吸引装置に連結された回収ノズルを取り付ける回収ノズル取付口とが設けられている
ことを特徴とするスピュー回収装置。
【発明の詳細な説明】
【技術分野】
【０００１】
本発明は、タイヤのトレッド面から切除されたスピューを回収するスピュー回収装置に関する。
【背景技術】
【０００２】
加硫後のタイヤのトレッド面には、加硫金型のベントホールからタイヤゴムがはみ出すことによりスピューと呼ばれる直径１ｍｍ程度、長さ５〜１０ｍｍ程度の円柱状の突起が形成されており、外観上の理由から、このスピューを切除（トリミング）することが行われている。
【０００３】
従来、このトリミングには、例えば、図５に示すようなスピュートリミング装置が用いられていた。即ち、バリカン刃などのカッター刃２が取り付けられたホルダー１を、エアシリンダなどのシリンダ３の伸縮に合わせて昇降させて、矢印方向に回転するタイヤＴのトレッド面Ｔａにカッター刃２を接触させることによりスピューＳを切除していた。
【０００４】
しかしながら、回転するタイヤからスピューを切除するため、切除されたスピューが周辺に飛散していた。
【０００５】
そこで、切除されたスピューを回収するスピュー回収装置が提案されている。例えば、特許文献１には、吸引装置に接続された回収ノズルを備え、当該回収ノズルをホルダー近傍に別途配置するスピュー回収装置が提案されている（例えば、特許文献１）。
【０００６】
このようなスピュー回収装置を設けることにより、切除されたスピューを回収ノズルから回収できるため、周辺への飛散を防止することができる。
【先行技術文献】
【特許文献】
【０００７】
【特許文献１】特開２０１０−５２２０４号公報
【発明の概要】
【発明が解決しようとする課題】
【０００８】
しかしながら、切除されたスピューをより効果的に回収し、スピューの飛散をより抑制することができるスピュー回収装置が望まれていた。
【０００９】
そこで、本発明は、切除されたスピューをより効果的に回収することにより、スピューの飛散を従来以上に抑制することができるスピュー回収装置を提供することを課題とする。
【課題を解決するための手段】
【００１０】
請求項１に記載の発明は、
ホルダーに取り付けられたカッター刃によりタイヤトレッド面から切除されたスピューを回収するスピュー回収装置であって、
前記ホルダーが、スピュー滞留スペースが形成されたスピュー回収部を備えており、
前記スピュー回収部に、
前記カッター刃の刃先近傍に形成されて、切除された前記スピューを前記スピュー滞留スペース内に吸い込む吸込口と、
吸引装置に連結された回収ノズルを取り付ける回収ノズル取付口とが設けられている
ことを特徴とするスピュー回収装置である。
【発明の効果】
【００１１】
本発明によれば、切除されたスピューをより効果的に回収することにより、スピューの飛散を従来以上に抑制することができるスピュー回収装置を提供することができる。
【図面の簡単な説明】
【００１２】
【図１】本発明の一実施の形態に係るスピュー回収装置が設けられたスピュートリミング装置を模式的に示す図である。
【図２】図１のスピュートリミング装置の要部拡大断面図である。
【図３】本発明の一実施の形態に係るスピュー回収装置のホルダーの形状を示す図である。
【図４】本発明の一実施の形態に係るスピュー回収装置のホルダーの形状を示す図である。
【図５】従来のスピュートリミング装置の一例を説明する図である。
【発明を実施するための形態】
【００１３】
以下、本発明を実施の形態に基づき、図面を参照して説明する。
【００１４】
図１は本実施の形態に係るスピュー回収装置が設けられたスピュートリミング装置を模式的に示す図であり、図２は前記スピュートリミング装置の要部拡大断面図である。なお、図１、図２において、１はホルダー、２はカッター刃、３はシリンダ、４は吸引装置、５は回収ノズルである。そして、Ｓはスピュー、Ｔはタイヤ、Ｔａはトレッド面である。
【００１５】
このスピュートリミング装置は、図５に示した従来のスピュートリミング装置と同様に、カッター刃２が取り付けられたホルダー１を、シリンダ３の伸縮に合わせて昇降させて、矢印方向に回転するタイヤＴのトレッド面Ｔａにカッター刃２を接触させ、刃先２ａによりスピューＳをトレッド面Ｔａから切除する。
【００１６】
しかし、本実施の形態においては、ホルダー１にスピュー回収部６を備えたスピュー回収装置が設けられている点で、従来のスピュートリミング装置と異なっている。
【００１７】
このホルダー１のスピュー回収部６には、スピュー滞留スペース１ｂが形成されている。さらに、スピュー回収部６には、カッター刃２の刃先２ａ近傍に形成されており、切除されたスピューＳをスピュー滞留スペース１ｂに吸い込む吸込口１ｃと、吸引装置４に連結された回収ノズル５を取り付ける回収ノズル取付口１ｄとが設けられている。
【００１８】
上記スピュー回収部６を備えたホルダー１の具体的な形状を図３および図４に示す。なお、図３（ａ）はホルダー１の斜視図であり、図３（ｂ）にはスピュー滞留スペース１ｂが書き加えられている。また、図４（ａ）はホルダー１の側面図であり、図４（ｂ）は正面図である。なお、図４（ａ）には、カッター刃２が取り付けられたホルダー１が示されている。
【００１９】
図３（ｂ）に示すように、開放された底面を除く各面が遮蔽板１ａにより囲まれることによって、スピュー回収部６の内部にスピュー滞留スペース１ｂが形成されている。
【００２０】
そして、スピュー回収部６の開放された底面には、カッター刃２が取り付けられている（図４（ａ）参照）。
【００２１】
そして、スピュー回収部６におけるカッター刃２の刃先２ａ近傍には、カッター刃２の刃先２ａにより切除されたスピューＳをスピュー滞留スペース１ｂ内に吸い込む吸込口１ｃが形成されている。なお、吸込口１ｃが形成されているスピュー回収部６の前面には、切除対象のスピューＳを起立させるために、複数の櫛歯１ｅが設けられている。
【００２２】
また、吸込口１ｃの対向面には、吸引装置４に連結された回収ノズル５を取り付ける回収ノズル取付口１ｄが形成されている。
【００２３】
上記構成のスピュー回収装置を用いて、切除されたスピューＳを回収するには、先ず、回収ノズル取付口１ｄに回収ノズル５を取り付け、吸引装置４を稼働させる。
【００２４】
これにより、吸込口１ｃから回収ノズル取付口１ｄに向けて気流が形成され、カッター刃２の刃先２ａにより切除されたスピューＳが吸込口１ｃからスピュー滞留部１ｂ内に吸い込まれる（図２参照）。
【００２５】
吸い込まれたスピューＳは、気流の流れに沿ってスピュー滞留スペース１ｂ内を回収ノズル取付口１ｄに向けて移動し、その後、回収ノズル５を経由して吸引装置４まで吸引されて回収される。この結果、切除されたスピューの飛散が抑制される。
【００２６】
本実施の形態によれば、スピューＳを回収するスピュー回収部６がホルダー１に設けられていることにより、ホルダー１に取り付けられたカッター２により切除されたスピューＳを直ちに回収できるため、回収ノズルをホルダー近傍に別途配置するようなスピュー回収装置を用いた場合に比べて、切断されたスピューをより効果的に回収して、スピューの飛散をさらに抑制することができる。
【００２７】
また、回収ノズルを別途配置するようなスピュー回収装置に比べて、部品点数を少なくすることができるため、メンテナンスの容易化、省エネ化、省スペース化を図ることができる。
【００２８】
以上、本発明を実施の形態に基づいて説明したが、本発明は上記の実施の形態に限定されるものではない。本発明と同一および均等の範囲内において、上記の実施の形態に対して種々の変更を加えることが可能である。
【符号の説明】
【００２９】
１            ホルダー
１ａ          遮蔽板
１ｂ          スピュー滞留スペース
１ｃ          吸込口
１ｄ          回収ノズル取付口
１ｅ          櫛歯
２            カッター刃
２ａ          カッター刃の刃先
３            シリンダ
４            吸引装置
５            回収ノズル
６            スピュー回収部
Ｔ            タイヤ
Ｔａ          トレッド面
Ｓ            スピュー
【図１】
2014144616.tif 000003
【図２】
2014144616.tif 000004
【図３】
2014144616.tif 000005
【図４】
2014144616.tif 000006
【図５】
2014144616.tif 000007